(57)【要約】【課題】液体の配線内への侵入を抑制できる端子を提供する。【解決手段】端子１０は、心線４２を絶縁体４３で被覆した被覆線４１の端部に取り付けられる。端子１０は、端子１０の一端において絶縁体４３を保持する絶縁体保持部１１と、心線４２を保持する心線保持部１２と、端子１０の他端において他の電気回路と接続される接続部１３と、心線保持部１２と接続部１３との間において端子１０が曲げられて形成された曲げ部１４と、心線保持部１２と曲げ部１４との間の中間部１５とを備える。接続部１３は、端子１０の最上方に配置されている。中間部１５は、曲げ部１４に対して上方に配置されている。【選択図】図３
2010257762.tif 000002
【特許請求の範囲】
【請求項１】
心線を絶縁体で被覆した被覆線の端部に取り付けられる端子であって、
前記端子の一端において前記絶縁体を保持する絶縁体保持部と、
前記心線を保持する心線保持部と、
前記端子の他端において他の電気回路と接続される接続部と、
前記心線保持部と前記接続部との間において前記端子が曲げられて形成された曲げ部と、
前記心線保持部と前記曲げ部との間の中間部とを備え、
前記接続部が最上方に配置され、前記中間部が前記曲げ部に対して上方に配置された、端子。
【請求項２】
電極体と、
前記電極体を収容するケースと、
前記電極体に接続された、請求項１に記載の端子とを備える、電池。
【発明の詳細な説明】
【技術分野】
【０００１】
本発明は、端子および電池に関し、特に、被覆線の端部に取り付けられる端子、および、その端子を備える電池に関する。
【背景技術】
【０００２】
従来、電線の芯線間を通して毛細管現象により漏液が生じるのを防止して、漏液防止性能を向上させたグロメット付きワイヤハーネスが提案されている（たとえば、特許文献１参照）。また、電線内部への防水性を得られるとともに、内部に浸水した水を外部に排水できるワイヤーハーネスが提案されている（たとえば、特許文献２参照）。また、呼吸作用及び毛細管現象によるコネクタ内部への浸水を防止したワイヤーハーネスが提案されている（たとえば、特許文献３参照）。
【先行技術文献】
【特許文献】
【０００３】
【特許文献１】特開２００４−２３４９０４号公報
【特許文献２】特開２００５−３０４１３１号公報
【特許文献３】特開２００８−３１１１８３号公報
【発明の概要】
【発明が解決しようとする課題】
【０００４】
心線を絶縁体で被覆した被覆線の端部に端子が取り付けられる場合、他の電気回路と接続される端子の接続部が最上方に配置されると、接続部から侵入し端子を伝って流れる液体が被覆線の端部に到達し、心線と絶縁体との隙間から液体が被覆線内に侵入する可能性がある。被覆線内に液体が侵入すると、液体が電線自体を腐食させたり、毛細管現象により液体が被覆線内を伝わり逆側の端部まで到達し、液体が逆側の端部から流出して電気機器の故障を引き起こしたりするという問題があった。
【０００５】
本発明は上記の問題に鑑みてなされたものであり、その主たる目的は、液体の配線内への侵入を抑制できる、端子を提供することである。
【課題を解決するための手段】
【０００６】
本発明に係る端子は、心線を絶縁体で被覆した被覆線の端部に取り付けられる。端子は、端子の一端において絶縁体を保持する絶縁体保持部と、心線を保持する心線保持部と、端子の他端において他の電気回路と接続される接続部と、心線保持部と接続部との間において端子が曲げられて形成された曲げ部と、心線保持部と曲げ部との間の中間部とを備える。接続部は、端子の最上方に配置されている。中間部は、曲げ部に対して上方に配置されている。
【０００７】
本発明に係る電池は、電極体と、電極体を収容するケースと、電極体に接続された、上記の端子とを備える。
【発明の効果】
【０００８】
本発明の端子によると、配線内への液体の侵入を抑制することができる。
【図面の簡単な説明】
【０００９】
【図１】本発明の実施の形態１に係る電池を含むハイブリッド車両の構成を示す図である。
【図２】本発明の端子が適用された電池セルを示す斜視図である。
【図３】実施の形態１の端子の構成を示す模式図である。
【図４】実施の形態２の端子の構成を示す模式図である。
【図５】実施の形態３の端子の構成を示す模式図である。
【発明を実施するための形態】
【００１０】
以下、図面に基づいてこの発明の実施の形態を説明する。なお、以下の図面において、同一または相当する部分には同一の参照番号を付し、その説明は繰返さない。
【００１１】
なお、以下に説明する実施の形態において、各々の構成要素は、特に記載がある場合を除き、本発明にとって必ずしも必須のものではない。また、以下の実施の形態において、個数、量などに言及する場合、特に記載がある場合を除き、上記個数などは例示であり、本発明の範囲は必ずしもその個数、量などに限定されない。
【００１２】
（実施の形態１）
図１は、本発明の実施の形態１に係る電池（バッテリ９００）を含むハイブリッド車両１の構成を示す図である。図１に示すように、ハイブリッド車両１は、エンジン１００と、モータジェネレータ２００（２１０，２２０）と、動力分割機構３００と、ディファレンシャル機構４００と、ドライブシャフト５００と、前輪である駆動輪６００Ｌ，６００Ｒと、ＰＣＵ（Power Control Unit）７００と、ケーブル８００（８１０，８２０，８３０）と、バッテリ９００とを備える。
【００１３】
エンジン１００と、モータジェネレータ２００と、動力分割機構３００と、ＰＣＵ７００とは、エンジンルーム２内に配設される。モータジェネレータ２１０，２２０とＰＣＵ７００とは、それぞれ、ケーブル８１０，８２０により接続される。ＰＣＵ７００とバッテリ９００とは、ケーブル８３０により接続される。また、エンジン１００およびモータジェネレータ２１０，２２０からなる動力出力装置は、動力分割機構３００および減速機構を介して、ディファレンシャル機構４００に連結されている。ディファレンシャル機構４００は、ドライブシャフト５００を介して、駆動輪６００Ｌ，６００Ｒに連結されている。
【００１４】
モータジェネレータ２１０，２２０は、３相交流同期電動発電機であって、ＰＣＵ７００から受ける交流電力によって駆動される。また、モータジェネレータ２１０，２２０は、発電機としても使用され、その発電作用により交流電力を発電し、その発電した交流電力をＰＣＵ７００へ出力する。動力分割機構３００は、たとえばプラネタリギヤを含んで構成される。
【００１５】
ＰＣＵ７００は、バッテリ９００から受ける直流電圧を交流電圧に変換して、モータジェネレータ２１０，２２０を駆動する。また、ＰＣＵ７００は、モータジェネレータ２１０，２２０が発電した交流電圧を直流電圧に変換して、バッテリ９００を充電する。バッテリ９００は、充放電可能な二次電池である。
【００１６】
図２は、本発明の端子１０が適用された電池セル９０を示す斜視図である。図１に示すハイブリッド車両１に搭載されるバッテリ９００は、電池セル９０が複数組み合わされた組電池として形成されている。電池セル９０は、リチウムイオン電池により構成されている。
【００１７】
図２に示すように、電池セル９０は、内部空間２８を形成するケースとしての角型電槽２２と、内部空間２８内に収容された図示しない電極体と、内部空間２８から内部空間２８の外側に延出する一対の端子１０とを備える。端子１０は、電極体の正極に接続されて
いる正極端子と、電極体の負極に接続されている負極端子とを含む。角型電槽２２は、略直方体の外形を有する。角型電槽２２は、金属材料により形成されていてもよく、樹脂材料により形成されていてもよい。
【００１８】
角型電槽２２は、開口部が形成された本体２５と、その開口部を塞ぐように本体２５に取り付けられた蓋体２６とを含む。本体２５と蓋体２６とは、溶接やかしめなどの任意の手段により固定されている。角型電槽２２は、内部空間２８を形成する複数の部材としての本体２５および蓋体２６を含む。蓋体２６には、内部空間２８とその外側とを連通させる孔が形成されており、端子１０はその孔を通って内部空間２８からその外側に向けて延出している。一対の端子１０は、蓋体２６の互いに離れた位置からそれぞれ突出している。
【００１９】
蓋体２６に形成された孔を塞ぐように、樹脂シール３６，３７が設けられている。樹脂シール３６，３７は、樹脂材料により形成されており、たとえば、ポリフェニレンスルフィド（ＰＰＳ：Polyphenilen Sulfide）から形成されている。樹脂シール３６，３７により、孔が封止されている。すなわち、孔を経由して内部空間２８とその外側とを液体が流通することを、樹脂シール３６，３７によって防止している。
【００２０】
図３は、実施の形態１の端子１０の構成を示す模式図である。図３に示すように、端子１０は、略Ｕ字型の形状に成形されている。端子１０は、心線４２を絶縁体４３で被覆した被覆線４１の端部に取り付けられている。
【００２１】
端子１０は、Ｕ字形状の一端において、被覆線４１の絶縁体４３を保持する絶縁体保持部１１を備える。絶縁体保持部１１において、圧着工具などを用いて二本の爪部を絶縁体４３の中央部に食い込むように圧着して絶縁体４３を締め付けることにより、絶縁体４３は端子１０の一端にかしめ固定されている。
【００２２】
端子１０はまた、被覆線４１の心線４２を保持する心線保持部１２を備える。心線保持部１２において、圧着工具などを用いて二本の爪部を心線４２の中央部に食い込むように圧着して心線４２を締め付けることにより、心線４２は端子１０にかしめ固定されている。被覆線４１の端部において、絶縁体４３の一部が剥がされ、心線４２の一部が絶縁体４３に被覆されていない露出した状態とされており、その露出した心線４２が心線保持部１２によって保持されている。
【００２３】
端子１０は、Ｕ字形状の他端において、他の電気回路と接続される接続部１３を備える。接続部１３は、丸型の形状に形成されている。つまり、端子１０は、丸型端子である。接続部１３の中央部に端子１０を厚み方向に貫通する貫通孔が形成されており、この貫通孔に他の電気回路の端子や配線が係合することによって、端子１０を介在させて被覆線４１と他の電気回路とが電気的に接続される。
【００２４】
端子１０はさらに、Ｕ字状の底部分を形成する曲げ部１４を備える。曲げ部１４は、心線保持部１２と接続部１３との間において、端子１０が曲げられて形成されている。端子１０が曲げ部１４を備えることにより、端子１０は屈曲している。心線保持部１２および絶縁体保持部１１は、接続部１３の鉛直下方からずれた位置に配置されている。そのため、心線保持部１２と絶縁体保持部１１との間に配置されている絶縁体４３の端部は、接続部１３の鉛直下方からずれた位置に配置されている。心線保持部１２と曲げ部１４との間には、Ｕ字形状が底部分から端部分に向かって立ち上がる中間部１５が形成されている。
【００２５】
図３に示すように、Ｕ字型の端子１０において、接続部１３が最上方に配置されている。また、中間部１５は、曲げ部１４に対して上方に配置されている。図３には、実際の装
置に組み付けられた状態の端子１０が図示されており、図中上側が実際の端子１０の上方を示し、図中下側が実際の端子１０の下方を示している。
【００２６】
以上の構成を有する端子１０において、接続部１３へ上方から液体が侵入した場合の液体の流路について説明する。図３中に示す破線矢印は、液体の侵入経路を示す。図３に示すように、接続部１３へ侵入した液体は、端子１０のＵ字形状の端部から底部分へ向かって流れ、曲げ部１４へ到達する。曲げ部１４はＵ字形状の端子１０の最下部を形成しており、曲げ部１４が中間部１５に対し下方に配置されているため、曲げ部１４に到達した液体は、重力の作用により下方へ落下し、端子１０から離れる。
【００２７】
つまり、Ｕ字型形状の端子１０は、曲げ部１４から、曲げ部１４に対して上方に設けられた中間部１５へ向かって液体が流れることを抑制できる。その結果、心線保持部１２と絶縁体保持部１１との間の、被覆線４１の心線４２を被覆する絶縁体４３の端部にまで液体が到達することが抑制されている。したがって、絶縁体４３の端部において心線４２と絶縁体４３との隙間から液体が被覆線４１内へ侵入することを防ぐことができるので、心線４２の腐食や、被覆線４１に接続された電気機器の故障などの、問題の発生を防止することができる。
【００２８】
（実施の形態２）
図４は、実施の形態２の端子１０の構成を示す模式図である。実施の形態２の端子１０は、端子１０が略Ｌ字型の形状に成形されている点で、上述した実施の形態１とは異なっている。端子１０は、Ｌ字形状の一端において絶縁体４３を保持する絶縁体保持部１１を備え、また心線４２を保持する心線保持部１２を備える。また端子１０は、Ｌ字形状の他端において、他の電気回路と接続される接続部１３を備える。
【００２９】
端子１０はさらに、Ｌ字状の屈曲部分を形成する曲げ部１４を備える。曲げ部１４は、心線保持部１２と接続部１３との間において、端子１０が曲げられて形成されている。端子１０が曲げ部１４を備えることにより、端子１０は屈曲している。そのため、心線保持部１２および絶縁体保持部１１は、接続部１３の鉛直下方からずれた位置に配置されている。心線保持部１２と曲げ部１４との間には、中間部１５が形成されている。図４に示すように、Ｌ字型の端子１０において、接続部１３が最上方に配置され、中間部１５は曲げ部１４に対して上方に配置されている。
【００３０】
以上の構成を有する実施の形態２の端子１０では、曲げ部１４がＬ字形状の端子１０の最下部を形成し、曲げ部１４が中間部１５に対し下方に配置されている。そのため、実施の形態１と同様に、接続部１３へ侵入し曲げ部１４に到達した液体は、重力の作用により下方へ落下し、端子１０から離れる。つまり、Ｌ字型形状の端子１０は、曲げ部１４から、曲げ部１４に対して上方に設けられた中間部１５へ向かって液体が流れることを抑制できる。その結果、心線保持部１２と絶縁体保持部１１との間の、被覆線４１の心線４２を被覆する絶縁体４３の端部にまで液体が到達することが抑制されている。したがって、絶縁体４３の端部において心線４２と絶縁体４３との隙間から液体が被覆線４１内へ侵入することを防止することができる。
【００３１】
（実施の形態３）
図５は、実施の形態３の端子１０の構成を示す模式図である。実施の形態３の端子１０は、端子１０が略Ｚ字型の形状に成形されている点で、上述した実施の形態１とは異なっている。端子１０は、Ｚ字形状の一端において絶縁体４３を保持する絶縁体保持部１１を備え、また心線４２を保持する心線保持部１２を備える。また端子１０は、Ｚ字形状の他端において、他の電気回路と接続される接続部１３を備える。
【００３２】
端子１０はさらに、Ｚ字状の屈曲部分を形成する曲げ部１４を備える。曲げ部１４は、心線保持部１２と接続部１３との間において、端子１０が曲げられて形成されている。端子１０が曲げ部１４を備えることにより、端子１０は屈曲している。そのため、心線保持部１２および絶縁体保持部１１は、接続部１３の鉛直下方からずれた位置に配置されている。心線保持部１２と曲げ部１４との間には、Ｚ字状の他の屈曲部分を形成する中間部１５が形成されている。図４に示すように、Ｚ字型の端子１０において、接続部１３が最上方に配置され、中間部１５は曲げ部１４に対して上方に配置されている。
【００３３】
以上の構成を有する実施の形態３の端子１０では、曲げ部１４は端子１０の最下部を形成しておらず、絶縁体保持部１１の形成された端子１０の一端は曲げ部１４よりも下方に位置している。しかし、曲げ部１４が中間部１５に対し下方に配置されているために、実施の形態１，２と同様に、接続部１３へ侵入し曲げ部１４に到達した液体は、重力の作用により下方へ落下し、端子１０から離れる。
【００３４】
つまり、Ｚ字型形状の端子１０は、曲げ部１４から、曲げ部１４に対して上方に設けられた中間部１５へ向かって液体が流れることを抑制できる。その結果、心線保持部１２と絶縁体保持部１１との間の、被覆線４１の心線４２を被覆する絶縁体４３の端部にまで液体が到達することが抑制されている。したがって、絶縁体４３の端部において心線４２と絶縁体４３との隙間から液体が被覆線４１内へ侵入することを防止することができる。
【００３５】
実施の形態３のＺ字型形状を有する端子１０が図２に示す電池セル９０に適用された場合、心線４２を保持する心線保持部１２と中間部１５との間の部位が蓋体２６に形成された孔を貫通するように、端子１０を配置することができる。被覆線４１を全て電池セル９０の角型電槽２２の内部空間２８に配置させ、かつ、蓋体２６に形成された孔の上方に曲げ部１４を配置させないことで、曲げ部１４から落下した液体の流れる経路を角型電槽２２の外側に規定することができる。そのため、絶縁体４３の端部に液体が到達することをより効果的に抑制することができる。
【００３６】
なお、実施の形態１〜３の説明においては、被覆線４１の心線４２および絶縁体４３が、それぞれ心線保持部１２および絶縁体保持部１１において、二本の爪部を圧着させることによりかしめられている例について説明した。本発明の端子１０はこれに限られず、端子１０の一端において被覆線４１を保持できる任意の構成を備えてもよい。たとえば、絶縁体４３を保持する絶縁体保持部１１が、中空筒状のリングスリーブを有していてもよい。
【００３７】
また、接続部１３が丸型形状である例について説明したが、この構成に限られるものではない。たとえば接続部１３は、二ツ穴が形成された形状、角型形状、先開形状、フック形状など、任意の形状を有していても構わない。
【００３８】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００３９】
１０  端子、１１  絶縁体保持部、１２  心線保持部、１３  接続部、１４  曲げ部、１５  中間部、４１  被覆線、４２  心線、４３  絶縁体、９０  電池セル。
【図１】
2010257762.tif 000003
【図２】
2010257762.tif 000004
【図３】
2010257762.tif 000005
【図４】
2010257762.tif 000006
【図５】
2010257762.tif 000007